(57)【特許請求の範囲】
【請求項１】
可動部によって搬送されてくる媒体の搬送方向を切り替える複数のブレードと、
上記ブレードが上記可動部と干渉しないよう設けられているブレードとブレードとの間隙部分に、上記可動部と干渉しないよう設けられた、当該間隙部分に入り込んでくる媒体の一部を上記搬送方向にガイドするガイド部と
を備え、
上記複数のブレードはシャフトに固定され、
上記ガイド部は、
上記ブレードよりも小型で上記ブレードとは別体で上記シャフトに固定された、上記シャフトから一方向に延びるように形成された小ブレードであり、当該小ブレードに形成されたガイド面によって、上記間隙部分に入り込んでくる媒体の一部を上記搬送方向にガイドする
搬送方向切替装置。
【請求項２】
上記小ブレードは上記シャフトの軸方向から見て略菱形である
請求項１に記載の搬送方向切替装置。
【請求項３】
上記ガイド部は、
上記小ブレードのガイド面にくわえて、上記間隙部分のシャフトの外周の一部を切り欠いて形成されたガイド面を有し、上記小ブレードに形成されたガイド面と、上記シャフトに形成されたガイド面とによって、当該間隙部分に入り込んでくる媒体の一部を上記搬送方向にガイドする
請求項１に記載の搬送方向切替装置。
【請求項４】
上記ガイド部は、
上記小ブレードのガイド面にくわえて、上記間隙部分のシャフトに固定されたボスの外周の一部を切り欠いて形成されたガイド面を有し、上記小ブレードに形成されたガイド面と、上記ボスに形成されたガイド面とによって、当該間隙部分に入り込んでくる媒体の一部を上記搬送方向にガイドする
請求項１又は３に記載の搬送方向切替装置。
【請求項５】
請求項１〜４のいずれかに記載の搬送方向切替装置を有する媒体取扱装置。
【発明の詳細な説明】
【技術分野】
【０００１】
本発明は、搬送方向切替装置及び媒体取扱装置に関し、例えば、媒体として紙幣を扱う現金自動取引装置に関するものである。
【背景技術】
【０００２】
従来、紙幣の入出金を顧客の操作に応じて行う現金自動取引装置が知られている（例えば、特許文献１参照）。
【０００３】
現金自動取引装置の内部には、紙幣を各部に搬送する複数の搬送路が設けられている。さらに搬送路上には分岐部が設けられ、この分岐部により紙幣の搬送方向を切り替えるようになっている。
【０００４】
ここで、現金自動取引装置内部の分岐部周辺部の構成について、図１２を用いて説明する。この図１２に示すように、分岐部周辺部Ｓには、例えば、側面視で８箇所の位置にそれぞれローラ１１〜１８が設けられている。
【０００５】
具体的には、側面視で、ローラ１１の右側にローラ１２が配置され、ローラ１１の左下にローラ１３が配置されている。さらにローラ１１の右下で且つローラ１３の右側となる位置にローラ１４が配置されている。
【０００６】
さらにローラ１２の左下で且つローラ１４の右側となる位置にローラ１５が配置され、ローラ１２の右下で且つローラ１５の右側となる位置にローラ１６が配置されている。
【０００７】
さらにローラ１５の下方に、ローラ１７とローラ１８とが横に並んで配置されている。
【０００８】
尚、図１２では、ローラ１１〜１８として、手前側のローラのみを図示しているが、実際には、その奥側にもローラが１個ずつ設けられている。つまり、分岐部周辺Ｓには、側面視で８箇所の位置にローラ１１から１８が、それぞれ手前側と奥側の計２個ずつ設けられている。
【０００９】
さらにローラ１１と１２の組にはベルト２１が装着され、ローラ１３と１４の組にはベルト２２が装着され、ローラ１５と１６の組にはベルト２３が装着されている。尚、このベルト２１〜２３についても、図１２では手前側のローラに装着されたベルトのみを図示しているが、実際には、奥側のローラにもベルトが装着されている。
【００１０】
ベルト２１、２２は、その間に紙幣３０を挟持するベルト対２４を形成し、ベルト２１、２３は、その間に紙幣３０を挟持するベルト対２５を形成する。このベルト対２４と２５とが、矢印αの方向（図中、右から左へ向かう方向）へ紙幣を搬送する搬送路７ｂの一部となっている。尚、このベルト対２４、２５についても、それぞれ手前側と奥側の計２本ずつ設けられ、図１３に示すように、手前側のベルト対２４ａ（又は２５ａ）と奥側のベルト対２４ｂ（又は２５ｂ）とで、紙幣３０を、その長手方向の一端側と他端側の２箇所で挟持して搬送するようになっている。
【００１１】
さらにローラ１４と１５の間には、紙幣の搬送方向を切り替える切替ゲート４０が回動自在に支持されている。
【００１２】
この切替ゲート４０は、図１２に実線で示す位置にあるとき、ベルト対２５により矢印αの方向に搬送されてきた紙幣３０を、矢印αの方向に対して略直角な矢印βの方向（図中、上から下へ向かう方向）にガイドしてローラ１７、１８間を通る搬送路７ｄに向けて搬送する。
【００１３】
一方、図１２に点線で示す位置にあるとき、切替ゲート４０は、ベルト対２５により矢印αの方向に搬送されてきた紙幣３０を、そのまま直線的に矢印αの方向にガイドしてベルト対２４に向けて搬送する。
【００１４】
尚、分岐部周辺Ｓは、紙幣３０の双方向の搬送が可能となっている。すなわち、切替ゲート４０を図中実線の位置に回動させ、搬送路７ｄを矢印βの逆方向（図中、下から上へ向かう方向）に搬送されてきた紙幣３０を矢印αの逆方向（図中、左から右へ向かう方向）にガイドして搬送路７ｂに向けて搬送させたり、切替ゲート４０を図中点線の位置に回動させ、ベルト対２４により矢印αの逆方向に搬送されてきた紙幣３０を、そのまま直線的に矢印αの逆方向にガイドしてベルト対２５に向けて搬送させたりすることができる。
【００１５】
図１４及び図１５に、この切替ゲート４０の全体構成を示す。切替ゲート４０は、回動自在に支持され搬送路７ｂ、７ｄに対して直角なシャフト４１と、このシャフト４１に固定された１つの第１ブレード組立体５１と、２つの第２ブレード組立体５２（５２ａ、５２ｂ）とで構成される。
【００１６】
第１ブレード組立体５１は、シャフト４１に固定された複数（例えば６枚）のブレード４２と、各ブレード４２の間のシャフト部分、及び両端のブレード４２のさらに外側のシャフト部分に嵌合された複数のボス４３とで構成されている。この第１ブレード組立対５１は、全体としてフォークのような形状をなし、各ブレード４２のフォークの腹に相当する面４２ａと、フォークの背に相当する面４２ｂが、それぞれ搬送方向をガイドするガイド面として機能するようになっている。
【００１７】
また第２ブレード組立体５２も、シャフト４１に固定された複数（例えば４枚）のブレード４２と、各ブレード４２の間のシャフト部分、及び両端のブレード４２のさらに外側のシャフト部分に嵌合された複数のボス４３とで構成されている。こちらも全体としてフォークのような形状をなし、各ブレード４２のフォークの腹に相当する面４２ａと、フォークの背に相当する面４２ｂが、それぞれガイド面として機能するようになっている。
【００１８】
これら２つの第２ブレード組立体５２ａ、５２ｂは、第１ブレード組立体５１の両側にそれぞれベルト対２５のベルト幅以上の間隔を隔てて設けられている。
【００１９】
そしてこの切替ゲート４０は、第１ブレード組立体５１及び第２ブレード組立体５２ａの間のシャフト部分と、第１ブレード組立体５１及び第２ブレード組立体５２ｂの間のシャフト部分に、それぞれ手前側のベルト対２５ａの先端部と奥側のベルト対２５ｂの先端部が対向するように配置される。
【００２０】
すなわち、切替ゲート４０は、図１６に示すように、２本のベルト対２５を避けるように第１ブレード組立体５１と第２ブレード組立体５２ａ、５２ｂとの間に間隙（これをクリアランスとも呼ぶ）４４が設けられ、これによりベルト対２５と干渉することなくブレード４２を回動させて搬送方向を切り替えることができるようになっている。
【先行技術文献】
【特許文献】
【００２１】
【特許文献１】特開２００８−１５０１７３号公報（段落００２３〜段落００２５、図１、図２）
【発明の概要】
【発明が解決しようとする課題】
【００２２】
ところが、第１ブレード組立体５１と第２ブレード組立体５２ａ、５２ｂとの間にクリアランス４４が設けられていると、搬送されてくる紙幣３０によっては、ブレード４２のガイド面４２ａに沿って適切に搬送されないことがある。
【００２３】
ここで、このような状況が起こり得る場合の紙幣３０の例を図１７に示す。この図１７に示すように、長辺に切れ目３１が２箇所あり、これらの間の切れ残り部３２の幅がクリアランス４４よりも狭い紙幣３０の場合、搬送時に、この切れ残り部３２が切替ゲート４０のクリアランス４４に入り込んでしまうことがある。
【００２４】
このとき、切替ゲート４０が搬送方向を矢印βの方向（下方）に切り替える位置にあるとすると、紙幣３０の切れ残り部３２がブレード４２のガイド面４２ａに沿わずにオーバーラップして搬送路を外れていってしまうことがある。
【００２５】
この結果、例えば図１８に示すように、切れ残り部３２の先端が、切替ゲート４０のシャフト４１に接触したり、例えば図１９に示すように、切替ゲート４０とローラ１７との間に紙幣３０を下方にガイドする搬送ガイド４５が設けられている場合に、この搬送ガイド４５のガイド面４５ａ以外の箇所に接触したりすることになる。尚、図１５、図１８、図１９は、切替ゲート４０のクリアランス４４の部分で、シャフト４１に直交する方向に切断した場合の断面図である。
【００２６】
このように、従来の切替ゲート４０では、紙幣３０の搬送方向を変える際に、紙幣３０の一部（すなわち切れ残り部３２）が搬送路を外れていって紙幣３０に「折れ」や「破れ」が発生したり、「ジャム（紙幣詰まり）」が発生したりすることがあるという問題があった。
【００２７】
本発明は以上の点を考慮したもので、従来と比して一段と適切に媒体の搬送方向を切り替え得る搬送方向切替装置及びこの搬送方向切替装置を備えた媒体取扱装置を提案しようとするものである。
【課題を解決するための手段】
【００２８】
かかる課題を解決するため本発明の搬送方向切替装置においては、可動部によって搬送されてくる媒体の搬送方向を切り替える複数のブレードと、ブレードが可動部と干渉しないよう設けられているブレードとブレードとの間隙部分に、可動部と干渉しないよう設けられた、当該間隙部分に入り込んでくる媒体の一部を上記搬送方向にガイドするガイド部とを備え、複数のブレードがシャフトに固定され、ガイド部は、ブレードよりも小型でブレードとは別体でシャフトに固定された、シャフトから一方向に延びるように形成された小ブレードであり、当該小ブレードに形成されたガイド面によって、上記間隙部分に入り込んでくる媒体の一部を搬送方向にガイドするようにした。
【００２９】
こうすることで本発明の搬送方向切替装置は、媒体の搬送方向を切り替えた際に、媒体の切れ残り部がブレードとブレードとの間に設けられた間隙（クリアランス）に入り込んできたとしても、これをこの間隙部分に設けられたガイド部によって正常な搬送方向にガイドすることができる。
【００３０】
また本発明の媒体取扱装置においては、上述した複数のブレードとガイド部とを備える搬送方向切替装置を有するようにした。
【００３１】
こうすることで本発明の媒体取扱装置は、媒体の搬送方向を切り替えた際に、媒体の切れ残り部がブレードとブレードとの間に設けられた間隙（クリアランス）に入り込んできたとしても、これをこの間隙部分に設けられたガイド部によって正常な搬送方向にガイドすることができる。
【発明の効果】
【００３２】
本発明によれば、媒体の切れ残り部が、ブレードとブレードとの間に設けられた間隙（クリアランス）に入り込んできたとしても、これをこの間隙部分に設けられたガイド部によって正常な搬送方向にガイドすることができるので、従来と比して一段と適切に媒体の搬送方向を切り替え得る搬送方向切替装置、及びこの搬送方向切替装置を備えた媒体取扱装置を実現できる。
【図面の簡単な説明】
【００３３】
【図１】現金自動取引装置の全体構成を示す略線図である。
【図２】分岐部周辺の構成を略線図である。
【図３】第１の実施の形態における切替ゲートの構成（１）を示す略線図である。
【図４】第１の実施の形態における切替ゲートの構成（２）を示す略線図である。
【図５】紙幣の切れ残り部が小ブレードによりガイドされる様子を示す略線図である。
【図６】第２の実施の形態における切替ゲートの構成（１）を示す略線図である。
【図７】第２の実施の形態における切替ゲートの構成（２）を示す略線図である。
【図８】紙幣の切れ残り部がシャフト又はボスによりガイドされる様子を示す略線図である。
【図９】第３の実施の形態における切替ゲートの構成（１）を示す略線図である。
【図１０】第３の実施の形態における切替ゲートの構成（２）を示す略線図である。
【図１１】紙幣の切れ残り部がシャフト、ボス又は小ブレードによりガイドされる様子を示す略線図である。
【図１２】従来の現金自動取引装置における分岐部周辺の構成を示す略線図である。
【図１３】ベルト対による紙幣の挟持を示す略線図である。
【図１４】従来の切替ゲートの構成（１）を示す略線図である。
【図１５】従来の切替ゲートの構成（２）を示す略線図である。
【図１６】従来の切替ゲートの構成（３）を示す略線図である。
【図１７】紙幣の切れ残り部を示す略線図である。
【図１８】紙幣の切れ残り部がシャフトに接触している様子を示す略線図である。
【図１９】紙幣の切れ残り部が搬送ガイドのガイド面以外の箇所に接触している様子を示す略線図である。
【発明を実施するための形態】
【００３４】
以下、発明を実施するための形態について、図面を用いて詳細に説明する。
【００３５】
［１．第１の実施の形態］
［１−１．現金自動取引装置の全体構成］
まず第１の実施の形態について説明する。図１に、この第１の実施の形態における現金自動取引装置１の全体構成の概略を示す。現金自動取引装置１は、紙幣入出金口２と、紙幣鑑別部３と、紙幣収納部４（４ａ〜４ｃ）と、補充回収カセット５と、入出金リジェクトボックス６と、これらを接続する複数の搬送路７（７ａ〜７ｇ）とを備えている。
【００３６】
この現金自動取引装置１では、紙幣が搬送路７（７ａ〜７ｇ）を双方向に自由に行き来できるようになっている。実際、入金時に紙幣入出金口２から投入された紙幣は、紙幣鑑別部３で真偽が鑑別された後、紙幣収納部４（４ａ〜４ｃ）に収納される。また、出金時に紙幣収納部４（４ａ〜４ｃ）から搬送される紙幣は、紙幣鑑別部３で真偽が鑑別された後、紙幣入出金口２に集積される。
【００３７】
紙幣収納部４（４ａ〜４ｃ）は、例えば千円札を収納する紙幣収納部４ａと、一万円札を収納する紙幣収納部４ｂ及び４ｃとを備えている。補充回収カセット５は、現金自動取引装置１に紙幣を補充したり、投入された紙幣の回収を行ったりするものである。入出金リジェクトボックス６は、紙幣鑑別部３によって入出金不可と判定された紙幣を回収するものである。
【００３８】
複数の搬送路７（７ａ〜７ｇ）は、複数の分岐部８（８ａ〜８ｄ）を介して、搬送路７ａ、７ｂ、７ｃ、７ｄ、７ｅ、７ｆ、７ｇに区分されている。
【００３９】
搬送路７ａは、一端が紙幣入出金口２に接続され、他端が搬送路７ｂに接続されている。搬送路７ｂは、紙幣鑑別部３を通り紙幣収納部４（４ａ〜４ｃ）に接続されている。搬送路７ａと搬送路７ｂとの間の分岐部８ａには、補充回収カセット５への搬送路７ｆが接続されている。
【００４０】
また、搬送路７ｂの分岐部８ｂには、紙幣収納部４ａへの搬送路７ｃが接続され、搬送路７ｂの分岐部８ｃには、紙幣収納部４ｂへの搬送路７ｄが接続されている。さらに、搬送路７ｂの分岐部８ｄには、紙幣収納部４ｃへの搬送路７ｅと、入出金リジェクトボックス６への搬送路７ｇとが接続されている。尚、搬送路７ｇだけは一方通行である。
【００４１】
［１−２．分岐部周辺の構成］
ここで、搬送路７ｂ及び７ｄに接続されている分岐部８ｃの周辺（これを分岐部周辺とも呼ぶ）Ｓの構成例について、図２を用いて説明する。尚、この図２は、図１２と同一部分に同一符号を付している。
【００４２】
この図２に示すように、分岐部周辺Ｓには、例えば、側面視で８箇所の位置にそれぞれローラ１１〜１８が設けられている。
【００４３】
具体的には、側面視で、ローラ１１の右側にローラ１２が配置され、ローラ１１の左下にローラ１３が配置されている。さらにローラ１１の右下で且つローラ１３の右側となる位置にローラ１４が配置されている。
【００４４】
さらにローラ１２の左下で且つローラ１４の右側となる位置にローラ１５が配置され、ローラ１２の右下で且つローラ１５の右側となる位置にローラ１６が配置されている。
【００４５】
さらにローラ１５の下方に、ローラ１７とローラ１８とが横に並んで配置されている。
【００４６】
尚、図２では、ローラ１１〜１８として、手前側のローラのみを図示しているが、実際には、その奥側にもローラが１個ずつ設けられている。つまり、分岐部周辺Ｓには、側面視で８箇所の位置にローラ１１から１８が、それぞれ手前側と奥側の計２個ずつ設けられている。
【００４７】
さらにローラ１１と１２の組にはベルト２１が装着され、ローラ１３と１４の組にはベルト２２が装着され、ローラ１５と１６の組にはベルト２３が装着されている。尚、このベルト２１〜２３についても、図２では手前側のローラに装着されたベルトのみを図示しているが、実際には、奥側のローラにもベルトが装着されている。
【００４８】
ベルト２１、２２は、その間に紙幣３０を挟持するベルト対２４を形成し、ベルト２１、２３は、その間に紙幣３０を挟持するベルト対２５を形成する。このベルト対２４と２５とが、矢印αの方向（図中、右から左へ向かう方向）へ紙幣を搬送する搬送路７Ａの一部となっている。尚、このベルト対２４、２５についても、それぞれ手前側と奥側の計２本ずつ設けられ、図１３に示したように、手前側のベルト対２４ａ（又は２５ａ）と奥側のベルト対２４ｂ（又は２５ｂ）とで、紙幣３０を、その長手方向の一端側と他端側の２箇所で挟持して搬送するようになっている。
【００４９】
さらにローラ１４と１５の間には、紙幣の搬送方向を切り替える切替ゲート１００が回動自在に支持されている。
【００５０】
この切替ゲート１００は、図２に実線で示す位置にあるとき、ベルト対２５により矢印αの方向に搬送されてきた紙幣３０を、矢印αの方向に対して略直角な矢印βの方向（下方）にガイドしてローラ１７、１８間を通る搬送路７ｄに向けて搬送する。
【００５１】
さらに切替ゲート１００とローラ１７との間には、切替ゲート１００により矢印βの方向にガイドされ搬送されてくる紙幣３０を、ローラ１７近傍まで引き続き矢印βの方向にガイドする搬送ガイド４５が設けられている。
【００５２】
この搬送ガイド４５は、矢印βの方向に平行（すなわち搬送路７ｄに平行）なガイド面４５ａを有し、このガイド面４５ａによって紙幣３０を矢印βの方向にガイドするようになっている。
【００５３】
一方、切替ゲート１００が図２に点線で示す位置にあるとき、切替ゲート１００は、ベルト対２５により矢印αの方向へ搬送されてきた紙幣３０を、そのまま直線的に矢印αの方向にガイドしてベルト対２４に向けて搬送する。
【００５４】
尚、分岐部周辺Ｓは、紙幣３０の双方向の搬送が可能となっている。すなわち、切替ゲート１００を図中実線の位置に回動させ、搬送路７ｄを矢印βの逆方向（図中、下から上へ向かう方向）に搬送されてきた紙幣３０を矢印αの逆方向（図中、左から右へ向かう方向）にガイドして搬送路７ｂに向けて搬送させたり、切替ゲート１００を図中点線の位置に回動させ、ベルト対２４により矢印αの逆方向に搬送されてきた紙幣３０を、そのまま矢印αの逆方向にガイドしてベルト対２５に向けて搬送させたりすることができる。
【００５５】
図３及び図４に、この切替ゲート１００の全体構成を示す。切替ゲート１００は、回動自在に支持され搬送路７ｂ、７ｄに対して直角なシャフト４１と、このシャフト４１に固定された１つの第１ブレード組立体５１と、２つの第２ブレード組立体５２（５２ａ、５２ｂ）とを有している。
【００５６】
第１ブレード組立体５１は、シャフト４１に固定された複数（例えば６枚）のブレード４２と、各ブレード４２の間のシャフト部分、及び両端のブレード４２のさらに外側のシャフト部分に嵌合された複数のボス４３とで構成される。
【００５７】
この第１ブレード組立対５１は、全体としてフォークのような形状をなし、各ブレード４２のフォークの腹に相当する面４２ａが、搬送方向を矢印αの方向から矢印βの方向に（又は矢印βの方向から矢印αの方向に）切り替えるときのガイド面４２ａとして機能し、フォークの背に相当する面４２ｂが、搬送方向を矢印αの方向（又は矢印αの逆方向）のままとするときのガイド面４２ｂとして機能するようになっている。
【００５８】
また第２ブレード組立体５２（５２ａ、５２ｂ）も、シャフト４１に固定された複数（例えば４枚）のブレード４２と、各ブレード４２の間のシャフト部分、及び両端のブレード４２のさらに外側のシャフト部分に嵌合された複数のボス４３とで構成されている。
【００５９】
こちらも全体としてフォークのような形状をなし、各ブレード４２のフォークの腹に相当する面４２ａが、搬送方向を矢印αの方向から矢印βの方向に（又は矢印βの方向から矢印αの方向に）切り替えるときのガイド面４２ａとして機能し、フォークの背に相当する面４２ｂが、搬送方向を矢印αの方向（又は矢印αの逆方向）のままとするときのガイド面４２ｂとして機能するようになっている。
【００６０】
これら２つの第２ブレード組立体５２ａ、５２ｂは、第１ブレード組立体５１の両側にそれぞれベルト対２５のベルト幅以上の間隔を隔てて設けられている。
【００６１】
さらに第１ブレード組立体５１及び第２ブレード組立体５２ａの間のシャフト部分と、第１ブレード組立体５１及び第２ブレード組立体５２ｂの間のシャフト部分には、それぞれブレード４２より小型の小ブレード１０１が１枚ずつ嵌合されている。
【００６２】
そしてこの切替ゲート１００は、第１ブレード組立体５１及び第２ブレード組立体５２ａの間のシャフト部分と、第１ブレード組立体５１及び第２ブレード組立体５２ｂの間のシャフト部分（すなわち小ブレード１０１が設けられている部分）に、それぞれ手前側のベルト対２５ａの先端部と奥側のベルト対２５ｂの先端部が対向するように配置される。
【００６３】
尚、上述の搬送ガイド４５は、例えば、ブレード４２とブレード４２との間のシャフト部分の下方、及びブレード４２と小ブレード１０１との間のシャフト部分の下方に、それぞれ設けられている。
【００６４】
ところで、第１ブレード組立体５１及び第２ブレード組立体５２ａの間と、第１ブレード組立体５１及び第２ブレード組立体５２ｂの間には、ベルト対２５と干渉してしまうという理由からブレード４２を設けることができない。
【００６５】
実際、これらの箇所にブレード４２を設けると、ブレード４２を図２に示す点線の位置に回動させようとしたとき（すなわち搬送方向を矢印αの方向のままにしようとするとき）に、ブレード４２の先端がベルト対２５に接触して干渉してしまうことになる。
【００６６】
一方で、これらの箇所にシャフト４１しかなければ、これらの箇所に図１７に示した紙幣３０の切れ残り部３２が入り込み、紙幣３０に「折れ」や「破れ」が発生したり、「ジャム」が発生したりする原因となってしまう。
【００６７】
そこで、本実施の形態の切替ゲート１００には、第１ブレード組立体５１及び第２ブレード組立体５２ａの間と、第１ブレード組立体５１及び第２ブレード組立体５２ｂの間に、それぞれベルト対２５と干渉しないようブレード４２より小型の小ブレード１０１を設けるようになっている。
【００６８】
具体的な例としては、この小ブレード１０１は、図４に示すように、側面視で、シャフト４１から一方向に延びる略菱形の板状でなり、その厚さはブレード４２とほぼ等しく、断面積はブレード４２の１／４程度となっている。
【００６９】
そしてこの小ブレード１０１は、図５に示すように、ブレード４２が図中実線の位置にあるとき（すなわち搬送方向を矢印αの方向から矢印βの方向に切り替える位置にあるとき）に、シャフト４１から矢印βの方向（下方）に突出するように、且つ側面視で、外周がブレード４２より外側にはみ出ないように位置決めされた状態で、シャフト４１に嵌合されるようになっている。尚、図４、図５は、第１ブレード組立体５１及び第２ブレード組立体５２ａの間の部分で、シャフト４１に直交する方向に切断した場合の断面図である。
【００７０】
ここで、小ブレード１０１は、ブレード４２が搬送方向を矢印αの方向から矢印βの方向に切り替える位置にあるとき、シャフト４１から矢印βの方向に延びる、搬送路側の面１０１ａが、第１ブレード組立体５１と第２ブレード組立体５２ａ、５２ｂとの間に入り込んでくる紙幣３０の切れ残り部３２を、矢印βの方向（すなわち搬送方向）にガイドするガイド面１０１ａとして機能するようになっている。
【００７１】
尚、小ブレード１０１のガイド面１０１ａは、必ずしも矢印βの方向に平行（すなわち搬送方向に平行）である必要はなく、例えば、シャフト４１から、その下方に設けられている搬送ガイド４５のガイド面４５ａに向かって傾斜していてもよい。実際、図５は、小ブレード１０１のガイド面１０１ａがこのように傾斜している例である。
【００７２】
［１−３．第１の実施の形態による動作及び効果］
以上の構成において、図５に示すように、ブレード４２が搬送方向を矢印βの方向に切り替える位置にあるときに、第１ブレード組立体５１と第２ブレード組立体５２ａ又は５２ｂとの間に、紙幣３０の切れ残り部３２がブレード４２のガイド面４２ａに沿わずにオーバーラップしてきたとする。
【００７３】
このとき、紙幣３０の切れ残り部３２は、その先端が、例えば、搬送ガイド４５のガイド面４５ａ以外の箇所に到達する前に、小ブレード１０１のガイド面１０１ａに接触して矢印βの方向（すなわち搬送方向）にガイドされる。
【００７４】
このように、切替ゲート１００は、第１ブレード組立体５１と第２ブレード組立体５２ａ、５２ｂとの間に入り込んでくる紙幣３０の切れ残り部３２についても、小ブレード１０１により搬送方向にガイドすることができるので、紙幣３０の搬送方向を切り替える際に、紙幣３０の切れ残り部３２が搬送路７を外れていって紙幣３０に「折れ」や「破れ」が発生したり、「ジャム（紙幣詰まり）」が発生したりすることを防ぐことができる。
【００７５】
さらに小ブレード１０１は、ブレード４２より小型で、第１ブレード組立体５１及び第２ブレード組立体５２ａの間と、第１ブレード組立体５１及び第２ブレード組立体５２ｂの間のシャフト部分に、ベルト対２５と干渉しない適切な向きで嵌合されている。
【００７６】
これにより、切替ゲート１００は、小ブレード１０１以外の部分を、図１４に示す既存の切替ゲート４０から流用することができ、切替ゲート全体を１から設計し直すような場合と比べ、低コストで紙幣３０の搬送方向を切り替える際の不具合を防ぐことができる。
【００７７】
以上の構成によれば、切替ゲート１００は、紙幣３０の切れ残り部３２が、ブレード４２とブレード４２との間に入り込んできたとしても、これを小ブレード１０１によって正常な搬送方向にガイドすることができるので、紙幣３０の搬送方向を切り替えるときに、紙幣３０の切れ残り部３２が搬送路７を外れていって紙幣３０に「折れ」や「破れ」が発生したり、「ジャム（紙幣詰まり）」が発生したりすることを防ぐことができる。かくしてこの切替ゲート１００は、従来と比して一段と適切に紙幣３０の搬送方向を切り替えることができる。
【００７８】
［２．第２の実施の形態］
次に、第２の実施の形態について説明する。この第２の実施の形態は、第１の実施の形態とは異なる構成の切替ゲートを有する実施の形態である。
【００７９】
尚、切替ゲート以外の部分については、第１の実施の形態と同様であるので、第１の実施の形態を参照とする。ゆえに、ここでは、切替ゲートを主に説明する。
【００８０】
［２−１．切替ゲートの構成］
図６及び図７に示すように、第２の実施の形態の切替ゲート２００には、小ブレード１０１が設けられてなく、その代わりに、第１の実施の形態のシャフト４１に対応するシャフト２０１自体に、小ブレード１０１のガイド面１０１ａと同様の役割を果たすガイド面２０１ａが形成されるようになっている。
【００８１】
具体的に、切替ゲート２００のシャフト２０１は、その断面が円の一部を直線的にカットしたような略Ｄ字形状でなり、外周部に長手方向に延びる帯状のガイド面２０１ａが形成されている。
【００８２】
そしてこのシャフト２０１は、図８に示すように、ブレード４２が図中実線の位置にあるとき（すなわち搬送方向を矢印αの方向から矢印βの方向に切り替える位置にあるとき）に、ガイド面２０１ａが矢印βの方向と平行もしくは略平行となるように、ブレード４２と嵌合されるようになっている。尚、図７、図８は、第１ブレード組立体５１及び第２ブレード組立体５２ａの間の部分で、シャフト２０１に直交する方向に切断した場合の断面図である。
【００８３】
そしてこのガイド面２０１ａは、ブレード４２が搬送方向を矢印αの方向から矢印βの方向に切り替える位置にある状態で、第１ブレード組立体５１と第２ブレード組立体５２ａ、５２ｂとの間に紙幣３０の切れ残り部３２が入り込んできたときに、これを矢印βの方向（すなわち搬送方向）にガイドするように機能する。
【００８４】
尚、シャフト２０１のガイド面２０１ａは、矢印βの方向と平行もしくは略平行であるとしたが、例えば、シャフト４１から、その下方に設けられている搬送ガイド４５のガイド面４５ａに向かって傾斜していてもよく、実際、図８は、シャフト２０１のガイド面２０１ａがこのように傾斜している例である。
【００８５】
さらに図６及び図７に示すように、切替ゲート２００には、第１の実施の形態のボス４３に対応するボス２０２にも、その内側に位置するシャフト２０１の形状に沿って、シャフト２０１のガイド面２０１に平行なガイド面２０２ａが形成されるようになっている。
【００８６】
このガイド面２０２ａは、図８に示すように、ブレード４２が搬送方向を矢印αの方向から矢印βの方向に切り替える位置にある状態で、ボス２０２が設けられている部分に紙幣３０の切れ残り部３２が入り込んできたときに、これを矢印βの方向（すなわち搬送方向）にガイドするように機能する。
【００８７】
［２−２．第２の実施の形態による動作及び効果］
以上の構成において、ブレード４２が搬送方向を矢印βの方向に切り替える位置にあるときに、第１ブレード組立体５１と第２ブレード組立体５２ａ、５２ｂとの間に、紙幣３０の切れ残り部３２がブレード４２のガイド面４２ａに沿わずにオーバーラップしてきたとする。
【００８８】
このとき、図８に示すように、紙幣３０の切れ残り部３２は、その先端が、シャフト２０１のガイド面２０１ａ又はボス２０２のガイド面２０２ａに接触して矢印βの方向（すなわち搬送方向）にガイドされる。
【００８９】
このように、切替ゲート２００は、第１ブレード組立体５１と第２ブレード組立体５２ａ、５２ｂとの間に入り込んでくる紙幣３０の切れ残り部３２についても、シャフト２０１のガイド面２０１ａ又はボス２０２のガイド面２０２ａにより搬送方向にガイドすることができるので、紙幣３０の搬送方向を切り替える際に、紙幣３０の切れ残り部３２が搬送路７を外れていって紙幣３０の搬送方向を切り替える際に、紙幣３０に「折れ」や「破れ」が発生したり、「ジャム（紙幣詰まり）」が発生したりすることを防ぐことができる。
【００９０】
さらに、例えば、第１ブレード組立体５１のブレード４２とブレード４２との間に、紙幣３０の切れ残り部３２がオーバーラップしてきても、ブレード４２とブレード４２との間に設けられているボス２０２のガイド面２０２ａにより、紙幣３０の切れ残り部３２は、搬送方向にガイドされる。
【００９１】
このように、切替ゲート２００は、第１ブレード組立体５１と第２ブレード組立体５２ａ、５２ｂとの間だけでなく、ブレード４２とブレード４２との間に入り込んでくる紙幣３０の切れ残り部３２についても、ボス２０２のガイド面２０２ａにより搬送方向にガイドすることができるので、一段と確実に、紙幣３０の搬送方向を切り替える際の不具合を防ぐことができる。
【００９２】
以上の構成によれば、切替ゲート２００は、紙幣３０の切れ残り部３２が、ブレード４２とブレード４２との間に入り込んできたとしても、これをシャフト２０１に形成されているガイド面２０１ａやボス２０２に形成されているガイド面２０２ａによって正常な搬送方向にガイドすることができるので、紙幣３０の搬送方向を切り替えるときに、紙幣３０の切れ残り部３２が搬送路７を外れていって紙幣３０に「折れ」や「破れ」が発生したり、「ジャム（紙幣詰まり）」が発生したりすることを防ぐことができる。
【００９３】
［３．第３の実施の形態］
次に、第３の実施の形態について説明する。この第３の実施の形態は、第１の実施の形態及び第２の実施の形態とは異なる構成の切替ゲートを有する実施の形態である。
【００９４】
尚、切替ゲート以外の部分の構成については、第１の実施の形態と同様であるので、第１の実施の形態を参照とする。ゆえに、ここでは、切替ゲートを主に説明する。
【００９５】
［３−１．切替ゲートの構成］
図９及び図１０に示すように、この第３の実施の形態の切替ゲート３００は、第１の実施の形態の切替ゲート１００と、第２の実施の形態の切替ゲート２００とを組み合わせた構成となっている。
【００９６】
すなわち、切替ゲート３００は、第２の実施の形態のシャフト２０１及びボス２０２にそれぞれ対応するシャフト３０１及びボス３０２に、シャフト２０１のガイド面２０１ａ及びボス２０２のガイド面２０２ａと同様の役割を果たすガイド面３０１ａ及び３０２ａがそれぞれ形成されている。
【００９７】
さらに、この切替ゲート３００は、第１ブレード組立体５１及び第２ブレード組立体５２ａの間のシャフト部分と、第１ブレード組立体５１及び第２ブレード組立体５２ｂの間のシャフト部分に、それぞれ第１の実施の形態の小ブレード１０１に対応する小ブレード３０３が１枚ずつ嵌合されている。
【００９８】
具体的に、切替ゲート３００のシャフト３０１は、シャフト２０１と同形状（断面Ｄ字形状）でなり、外周部に長手方向に延びる帯状のガイド面３０１ａが形成されている。
【００９９】
そしてこのシャフト３０１は、図１１に示すように、ブレード４２が図中実線の位置にあるとき（すなわち搬送方向を矢印αの方向から矢印βの方向に切り替える位置にあるとき）に、ガイド面３０１ａが矢印βの方向と平行もしくは略平行となるように、ブレード４２と嵌合されるようになっている。尚、図１０、図１１は、第１ブレード組立体５１及び第２ブレード組立体５２ａの間の部分で、シャフト３０１に直交する方向に切断した場合の断面図である。
【０１００】
またボス３０２も、ボス２０２と同形状（断面Ｄ字形状）でなり、シャフト３０１のガイド面３０１に平行なガイド面３０２ａが形成されている。
【０１０１】
さらに小ブレード３０３も、小ブレード１０１と同形状（断面略菱形板状）、同サイズ（厚さはブレード４２と等しく断面積は１／４）でなり、ブレード４２が図中実線の位置にあるとき（すなわち搬送方向を矢印αの方向から矢印βの方向に切り替える位置にあるとき）に、シャフト４１から矢印βの方向（下方）に突出するように、且つ側面視で、外周がブレード４２より外側にはみ出ないように位置決めされた状態で、シャフト４１に嵌合されている。
【０１０２】
このときこの小ブレード３０３は、シャフト４２から矢印βの方向に延びる搬送路側のガイド面３０３ａが、シャフト３０１のガイド面３０１ａに平行になるようになっている。
【０１０３】
このように、切替ゲート３００は、シャフト３０１のガイド面３０１ａ、ボス３０２のガイド面３０２ａ、及び小ブレード３０３のガイド面３０３ａが、互いに平行となっていて、それぞれが、ブレード４２のガイド面４２ａに沿わずにオーバーラップしてくる紙幣３０の切れ残り部３２を、矢印βの方向（すなわち搬送方向）にガイドするガイド面として機能する。
【０１０４】
尚、ボス３０２のガイド面３０２ａと、小ブレードのガイド面３０３ａとは平行なだけでなく同一平面上となっていてもよい。
【０１０５】
［３−２．第３の実施の形態の動作及び効果］
以上の構成において、ブレード４２が搬送方向を矢印βの方向に切り替える位置にあるときに、第１ブレード組立体５１と第２ブレード組立体５２ａ、５２ｂとの間に、紙幣３０の切れ残り部３２がブレード４２のガイド面４２ａに沿わずにオーバーラップしてきたとする。
【０１０６】
このとき、図１１に示すように、紙幣３０の切れ残り部３２は、その先端が、シャフト３０１のガイド面３０１ａやボス３０２のガイド面３０２ａ、又は小ブレード３０３のガイド面３０３ａに接触して矢印βの方向（すなわち搬送方向）にガイドされる。
【０１０７】
このように、切替ゲート３００は、第１ブレード組立体５１と第２ブレード組立体５２ａ、５２ｂとの間に入り込んでくる紙幣３０の切れ残り部３２についても、シャフト３０１のガイド面３０１ａやボス３０２のガイド面３０２ａ、又は小ブレード３０３のガイド面３０３ａにより搬送方向にガイドすることができるので、紙幣３０の搬送方向を切り替える際に、紙幣３０の切れ残り部３２が搬送路７を外れていって紙幣３０に「折れ」や「破れ」が発生したり、「ジャム（紙幣詰まり）」が発生したりすることを防ぐことができる。
【０１０８】
さらに、例えば第１ブレード組立体５１のブレード４２とブレード４２との間に、紙幣３０の切れ残り部３２がオーバーラップしてきても、ブレード４２とブレード４２との間に設けられているボス３０２のガイド面３０２ａにより、紙幣３０の切れ残り部３２は、搬送方向にガイドされる。
【０１０９】
このように、切替ゲート３００は、第１ブレード組立体５１と第２ブレード組立体５２ａ、５２ｂとの間だけでなく、ブレード４２とブレード４２との間に入り込んでくる紙幣３０の切れ残り部３２についても、ボス３０２のガイド面３０２ａにより搬送方向にガイドすることができるので、一段と確実に、紙幣３０の搬送方向を切り替える際の不具合を防ぐことができる。
【０１１０】
以上の構成によれば、切替ゲート３００は、紙幣３０の切れ残り部３２が、ブレード４２とブレード４２との間に入り込んできたとしても、これをシャフト３０１のガイド面３０１ａやボス３０２のガイド面３０２ａ、又は小ブレード３０３のガイド面３０３ａによって正常な搬送方向にガイドすることができるので、紙幣３０の搬送方向を切り替えるときに、紙幣３０の切れ残り部３２が搬送路７を外れていって紙幣３０に「折れ」や「破れ」が発生したり、「ジャム（紙幣詰まり）」が発生したりすることを一段と確実に防ぐことができる。
【０１１１】
［４．他の実施の形態］
［４−１．他の実施の形態１］
尚、上述した第１の実施の形態では、小ブレード１０１の形状を、シャフト４１から一方向に延びる略菱形の板状とすると共に、その大きさを、厚さがブレード４２とほぼ等しく、断面積がブレード４２の１／４程度とした。
【０１１２】
そしてこの小ブレード１０１を、ブレード４２が搬送方向を矢印αの方向から矢印βの方向に切り替える位置にあるときに、シャフト４１から矢印βの方向に突出するように、且つ側面視で、外周がブレード４２より外側にはみ出ないように位置決めして、シャフト４１に嵌合するようにした。
【０１１３】
このような小ブレード１０１の形状、大きさ、位置（向き）は、小ブレード１０１が、紙幣３０を搬送する可動部としてのベルト対２５に干渉しないように選定されたものである。換言すれば、ベルト対２５に干渉しなければ、第１の実施の形態の小ブレード１０１とは異なる形状、大きさの小ブレードを、第１の実施の形態の小ブレード１０１とは異なる位置（向き）に設けるようにしてもよい。
【０１１４】
実際、ベルト対２５に干渉しない範囲であれば、例えば、小ブレード１０１の代わりに、シャフト４１から矢印βの方向に突出する部分と、矢印βの逆方向に突出する部分を有する小ブレードを設けるなどしてもよい。
【０１１５】
また例えば、小ブレード１０１の代わりに、ブレード４２と同形状でサイズの小さい小ブレードを設けるなどしてもよい。
【０１１６】
要は、ベルト対２５に干渉しない範囲であれば、種々の形状、大きさ、位置（向き）の小ブレードを設けるようにしてもよい。この点は、第３の実施の形態についても同様である。
【０１１７】
［４−２．他の実施の形態２］
また、上述した第１の実施の形態では、小ブレード１０１のガイド面１０１ａを、矢印βの方向（すなわち搬送方向）に平行又は略平行な平面にしたが、これに限らず、ガイド面１０１を曲面にしてもよく、例えば、ベルト対２５のローラ１５の形状に沿った曲面にしてもよい。この点は、第３の実施の形態についても同様である。
【０１１８】
さらに第２の実施の形態のシャフト２０１及びボス２０２についても、それぞれのガイド面２０１ａ及び２０２ａを平面ではなく曲面にしてもよい。この点は、第３の実施の形態についても同様である。
【０１１９】
［４−３．他の実施の形態３］
さらに、上述した第１及び第３の実施の形態では、第１ブレード組立体５１及び第２ブレード組立体５２ａの間のシャフト部分と、第１ブレード組立体５１及び第２ブレード組立体５２ｂの間のシャフト部分に、小ブレード１０１を設けるようにした。
【０１２０】
これに限らず、第１ブレード組立体５１及び第２ブレード組立体５２ａの間のシャフト部分と、第１ブレード組立体５１及び第２ブレード組立体５２ｂの間のシャフト部分のそれぞれの下方に位置する搬送ガイド４５に、小ブレード１０１を上方に突出するように取り付けるようにしてもよい。
【０１２１】
このように小ブレード１０１を搬送ガイド４５に取り付けた場合でも、第１及び第３の実施の形態と同様の効果を得ることができる。
【０１２２】
［４−４．他の実施の形態４］
さらに、上述した第２の実施の形態では、シャフト２０１を断面略Ｄ字形状として、外周部に長手方向に延びる帯状のガイド面２０１ａを形成するようにした。つまり、この第２の実施の形態では、シャフト２０１に、その端から端まで延びるガイド面２０１ａを形成するようにした。
【０１２３】
これに限らず、例えば、シャフト２０１全体のうち、第１ブレード組立体５１及び第２ブレード組立体５２ａの間の部分と、第１ブレード組立体５１及び第２ブレード組立体５２ｂの間の部分だけ、断面略Ｄ字形状とすることで、これらの部分にだけガイド面２０１ａを設けるようにしてもよい。ボス２０２についても同様に、これらの部分にだけガイド面２０２ａを設けるようにしてもよい。この点は、第３の実施の形態についても同様である。
【０１２４】
［４−５．他の実施の形態５］
さらに、上述した第２の実施の形態では、シャフト２０１とボス２０２に、それぞれガイド面２０１ａとガイド面２０２ａを設けるようにしたが、これに限らず、例えば、シャフト２０１にのみガイド面２０１ａを設けて、ボス２０２にはガイド面を設けないようにしてもよい。この点は、第３の実施の形態についても同様である。
【０１２５】
［４−６．他の実施の形態６］
さらに、上述した第１の実施の形態では、第１ブレード組立体５１及び第２ブレード組立体５２を、それぞれシャフト４１に固定された複数のブレード４２と、各ブレード４２の間のシャフト部分、及び両端のブレード４２のさらに外側のシャフト部分に嵌合された複数のボス４３とで構成するようにした。
【０１２６】
これに限らず、同様の機能を有していれば、これら第１ブレード組立体５１及び第２ブレード組立体５２を、この他種々の構成としてもよい。
【０１２７】
例えば、シャフト４１に嵌合された１本の所定長さの筒状のボス４３と、このボス４３に、所定の間隔を隔てて嵌合された複数のブレード４２とで、第１ブレード組立体５１及び第２ブレード組立体５２を構成するようにしてもよいし、例えば、両端のブレード４２のさらに外側のシャフト部分には、ボス４３を設けないようにするなどしてもよい。この点については、第２及び第３の実施の形態についても同様である。
【０１２８】
［４−７．他の実施の形態７］
さらに、上述した第１の実施の形態では、紙幣３０の搬送方向を第１の方向としての矢印βの方向又は第２の方向としての矢印αの方向に切り替える切替ゲート１００に本発明を適用するようにした。
【０１２９】
これに限らず、搬送方向を３つ以上の方向に切り替えることのできる切替ゲートに本発明を適用するようにしてもよい。
【０１３０】
尚、元の搬送方向と、切り替え先の搬送方向との角度が急なほど、紙幣３０の切れ残り部３２がオーバーラップする可能性が高くなる。ゆえに、搬送方向を３つ以上の方向に切り替えることのできる切替ゲートの場合、例えば、元の搬送方向に対して最も角度が急な搬送方向に切り替えられたときに、紙幣３０の切れ残り部３２を切り替え先の搬送方向にガイドするような構成とすればよい。この点については、第２及び第３の実施の形態についても同様である。
【０１３１】
［４−８．他の実施の形態８］
さらに、上述した第１の実施の形態では、媒体取扱装置の切替部、及び搬送方向切替装置としての切替ゲート１００に、ガイド部として、小ブレード１０１を設けるようにした。さらに、上述した第２の実施の形態では、切替ゲート２００に、ガイド部として、ガイド面２０１ａが形成されたシャフト２０１及びガイド面２０２ａが形成されたボス２０２を設けるようにした。さらに、上述した第３の実施の形態では、切替ゲート３００に、ガイド部として、ガイド面３０１ａが形成されたシャフト３０１、ガイド面３０２ａが形成されたボス３０２及び小ブレード３０３を設けるようにした。
【０１３２】
これに限らず、同様に機能するものであれば、この他種々のガイド部を、切替ゲートに設けるようにしてもよい。
【０１３３】
［４−９．他の実施の形態９］
さらに、上述した第１乃至第３の実施の形態では、本発明を、媒体取扱装置としての現金自動取引装置１に適用したが、本発明は、これに限らず、媒体の搬送方向を切り替える手段を有する装置であれば、コピー機やプリンタ、自動販売機、券売機など、種々の装置に適用することができる。
【０１３４】
さらに、上述した第１乃至第３の実施の形態では、本発明を、ローラとこのローラに装着されたベルトで構成される２本のベルト対で紙幣３０を搬送する現金自動取引装置１に適用したが、これに限らず、１本のベルト対で紙幣３０を搬送する装置や、搬送路上に設けられた複数のローラのみで媒体を搬送する装置など、種々の装置に適用することもできる。
【０１３５】
さらに、切替ゲートを構成するシャフトやブレードの大きさや強度を適宜選定することで、本発明を、紙幣や紙などの紙葉類を搬送する装置だけでなく、工場内で部品を搬送するベルトコンベア装置などに適用することもできる。
【０１３６】
尚、上述した第１乃至第３の実施の形態では、適切に搬送されない状況を引き起こすことがある媒体として、切れ残り部３０を有する紙幣３０を例に挙げたが、要は、従来の切替ゲートにおいて、シャフトやボスに接触したり、搬送方向をガイドするガイド面以外の箇所に接触したりする可能性のある媒体であれば、このような状況を引き起こすことがあり、このような媒体を取り扱う装置において本発明は有効となる。
【０１３７】
［４−１０．他の実施の形態１０］
さらに、本発明は、上述した第１乃至第３の実施の形態と、上述した他の実施の形態とに限定されるものではない。すなわち本発明は、上述した第１乃至第３の実施の形態と上述した他の実施の形態の一部または全部を任意に組み合わせた実施の形態や、一部を抽出した実施の形態にもその適用範囲が及ぶものである。
【産業上の利用可能性】
【０１３８】
本発明は、媒体の搬送方向を切り替える手段を有する現金自動取引装置や、コピー機、プリンタ、自動販売機、券売機などの装置で広く利用することができる。
【符号の説明】
【０１３９】
１……現金自動取引装置、７、７ａ〜７ｇ……搬送路、８、８ａ〜８ｄ……分岐部、１１〜１８……ローラ、２１〜２３……ベルト、２４、２５……ベルト対、３０……紙幣、３２……切れ残り部、４０、１００、２００、３００……切替ゲート、４１、２０１、３０１……シャフト、４２……ブレード、４３、２０２、３０２……ボス、４５……搬送ガイド、１０１、３０３……小ブレード。
【図１】
0005970756.tif 000002
【図２】
0005970756.tif 000003
【図３】
0005970756.tif 000004
【図４】
0005970756.tif 000005
【図５】
0005970756.tif 000006
【図６】
0005970756.tif 000007
【図７】
0005970756.tif 000008
【図８】
0005970756.tif 000009
【図９】
0005970756.tif 000010
【図１０】
0005970756.tif 000011
【図１１】
0005970756.tif 000012
【図１２】
0005970756.tif 000013
【図１３】
0005970756.tif 000014
【図１４】
0005970756.tif 000015
【図１５】
0005970756.tif 000016
【図１６】
0005970756.tif 000017
【図１７】
0005970756.tif 000018
【図１８】
0005970756.tif 000019
【図１９】
0005970756.tif 000020